(57)【要約】  品物を提示するための懸架装置は、成形レール１を備え、この成形レールには電気的成形要素２が挿入され、絶縁体２０内に部分的に埋め込まれた導電体２１が電気的成形要素を通って延在し、外側へ開放した成形レール１の通路１０を経て導電体にアクセス可能である。成形レール１に掛止め可能な一次支持体４は通路１０に押し込み可能な差込み部分４１６、４２６を有する。一次支持体４の差込み部分４１６にアダプタ５が配置され、このアダプタは照明ユニット７を運転するための導電体２１に電気的にタッピングするためのものである。アダプタ５から照明ユニット７へ給電線６が延在している。アダプタ５はケース５２と、導電体２１に電気的にタッピングするためのものである、接点５４１を有する集電子５４とを備えている。接点５４１はばねで支持されてケース５２から突出し、差込み部分４１６を通路１０に押し込む際にケース５２内に押し込み可能である。差込み部分４１６が通路１０に完全に押し込まれて導電体２１に対して一致する位置にあるときに、接点５４１はばね力によって導電体２１に押し付けられている。
2013538595.tif 000002
【特許請求の範囲】
【請求項１】
品物を提示するための懸架装置であって、
ａ）成形レール（１）を備え、この成形レールに電気的成形要素（２）が挿入され、絶縁体（２０）内に部分的に埋め込まれた導電体（２１）が前記電気的成形要素を通って延在し、外側へ開放した前記成形レール（１）の通路（１０）を経て前記導電体にアクセス可能であり、
ｂ）前記成形レール（１）に掛止め可能な一次支持体（４）を備え、この一次支持体が前記通路（１０）に押し込み可能な差込み部分（４１６、４２６）を有し、
ｃ）前記一次支持体（４）の前記差込み部分（４１６）にアダプタ（５）が配置され、このアダプタが照明ユニット（７）を運転するための導電体（２１）に電気的にタッピングするためのものであり、
ｄ）前記アダプタ（５）から前記照明ユニット（７）へ給電線（６）が延在し、
ｅ）前記アダプタ（５）がケース（５２）と、前記導電体（２１）に電気的にタッピングするためのものである、接点（５４１）を有する集電子（５４）とを備えている、上記懸架装置において、
ｆ）前記接点（５４１）がばねで支持されて前記ケース（５２）から突出し、前記差込み部分（４１６）を前記通路（１０）に押し込む際に前記ケース（５２）内に押し込み可能であり、そして前記差込み部分（４１６）が前記通路（１０）に完全に押し込まれて前記導電体（２１）に対して一致する位置にあるときに、前記接点（５４１）がばね力によって前記導電体（２１）に押し付けられていることを特徴とする懸架装置。
【請求項２】
前記集電子（５４）の前記ばね支持部が曲げ区間（５４２）によるその固有弾性に基づいていることを特徴とする請求項１に記載の懸架装置。
【請求項３】
ａ）前記アダプタ（５）が後側部分（５３）と、前記成形レール（１）の前記通路（１０）に挿入するための前側部分（５６）とを備え、この前側部分内に前記接点（５４１）が配置され、
ｂ）前記アダプタ（５）が２個の集電子（５４）を備え、この集電子がそれぞれ、前記ケース（５２）内に弾性的に動くことができるように支持された線によって形成され、
ｃ）一方の集電子（５４）の接点（５４１）がその前側の自由端にあり、上方に向かって先細である、例えばＶ字状またはＵ字状のフックによって形成され、
ｄ）前記曲げ区間（５４２）が前記接点（５４１）から、前記集電子（５４）の後端である挟持領域（５４３）まで延在し、
ｅ）前記挟持領域（５４３）に接続部（５４０）が設けられ、この接続部が前記給電線（６）に通じ、
ｆ）前記ケース（５２）が切欠き（５０４、５１４）を有し、この切欠き内に前記集電子（５４）が垂直方向に弾性的に動くことができるように収容されている
ことを特徴とする請求項１または２に記載の懸架装置。
【請求項４】
ａ）前記ケース（５２）が底部（５１）とカバー（５０）からなり、
ｂ）縦方向に延在する前記切欠き（５１４）と一直線上に、それぞれ１つの切込み（５１０）が前記底部（５１）の前記後側部分（５３）内に設けられ、この切込み内にそれぞれ集電子（５４）の前記挟持領域（５４３）を支持するために、前記切込みが前記切欠き（５１４）の方向におよび前記カバー（５０）の方に開放し、
ｃ）カバー（５０）と底部（５１）を連結するために、互いに相補的な第１ロック機構（５０６、５１６）と第２ロック機構（５０９、５１９）が前記カバーと前記底部に設けられ、互いにかみ合う少なくとも１対のロック機構（５０９、５１９）がねじ（５９）によって付加的に保持され、
ｄ）前記ケース（５２）を組み立てる際に、前記アダプタ（５）がその後側部分（５３）内に、前記集電子（５４）の挿入された挟持領域（５４３）に隣接して、前記一次支持体（４）に連結するための外側に開放する開口（５２０）を有し、
ｅ）前記底部（５１）が前記開口（５２０）の拡張部に切り落とし部（５１５）を有し、この切り落とし部が前記給電線（６）を前記集電子（５４）の前記接続部（５４０）に案内する働きをすることを特徴とする請求項１〜３のいずれか一項に記載の懸架装置。
【請求項５】
ａ）前記アダプタ（５）の前記開口（５２０）内に、棚板（４１）の形をした前記一次支持体（４）の連結領域（４１７）が固定され、
ｂ）前記棚板（４１）が差込み部分（４１６）を有し、この差込み部分がその後側エッジ（４１２）から先に前記成形レール（１）の外側に開放した前記通路（１０）内に押し込むためのものであり、
ｃ）前記差込み部分（４１６）に切欠き（４１３）が設けられ、この切欠きが前記後側エッジ（４１２）の方へ開口し、この切欠きに連結領域（４１７）が隣接し、前記アダプタ（５）の前記前側部分（５６）が前記連結領域内に配置されていることを特徴とする請求項１〜４のいずれか一項に記載の懸架装置。
【請求項６】
ａ）前記棚板（４１）が上面（４１０）、下面（４１１）および部屋の方に向いた前側エッジ（４１４）を有し、
ｂ）前記照明ユニット（７）が好ましくは前記上面（４１０）および／または前記下面（４１１）および／または前記前側エッジ（４１４）に配置されていることを特徴とする請求項１〜５のいずれか一項に記載の懸架装置。
【請求項７】
ａ）前記棚板（４１）が上面（４１０）、下面（４１１）および部屋の方に向いた前側エッジ（４１４）を有し、
ｂ）前記前側エッジ（４１４）から、装着され下方に傾斜した追加部分（４１９）が延びており、
ｃ）前記照明ユニット（７）が好ましくは前記追加部分（４１９）の下面に配置され、
ｄ）前記棚板（４１）と前記追加部分（４１９）が異なる材料から構成可能であることを特徴とする請求項１〜５のいずれか一項に記載の懸架装置。
【請求項８】
ａ）前記棚板（４１）が前記差込み部分（４１６）に対して下方に傾斜した追加部分（４１９）に一体的に接続し、
ｂ）前記照明ユニット（７）が好ましくは前記追加部分（４１９）の下面に配置され、
ｄ）前記棚板（４１）と前記追加部分（４１９）が同じ材料から構成可能であることを特徴とする請求項１〜５のいずれか一項に記載の懸架装置。
【請求項９】
前記成形レール（１）が、
ａ）前記通路（１０）の一方の側を画成する底部支柱（１２）を備え、差し込まれた前記一次支持体（４）のための滑り防止部材および緩衝要素としての成形ストランド（３）を収容するための底部溝（１２６）が、前記通路（１０）の入口寄りで前記底部支柱内に設けられ、
ｂ）前記通路（１０）の他方の側を画成する上部支柱（１３）を備え、
ｂａ）前記電気的成形要素（２）を収容するための上部溝（１３６）が前記通路（１０）の入口寄りで前記上部支柱内に設けられ、
ｂｂ）前記通路（１０）の後側領域内にフック溝（１３５）が設けられ、このフック溝が支持アーム（４２）の形をした前記一次支持体（４）の差込み部分（４２６）に相補的なフック（４２５）を係合させる働きをし、
ｃ）板状のベース（１１）を備え、このベース内に底部支柱（１２）と上部支柱（１３）が接続し、前記ベースが前記通路（１０）の端部を画成していることを特徴とする請求項１〜８のいずれか一項に記載の懸架装置。
【請求項１０】
前記成形レール（１）がさらに、
ａ）前記底部支柱（１２）から前記ベース（１１）に対して斜めに延在する支持支柱（１２３）と、
ｂ）前記上部支柱（１３）から前記ベース（１１）に対して斜めに延在する支持支柱（１３３）と、
ｃ）挿入された前記成形ストランド（３）または挿入された電気的成形要素（２）を固定するための底部溝（１２６）の保持輪郭部（１２７）と上部溝（１３６）の保持輪郭部（１３７）と、
ｄ）前記通路（１０）への入口を形成するための、前記底部支柱（１２）の突出部としての唇部（１２０）と上部支柱（１３）の突出部としての唇部（１３０）と、
ｅ）前記パネル要素（９）の縦方向エッジ（９２）をかみ合わせて取付けるために役立つ、前記底部支柱（１２）から分岐する、隣接する外溝（１２２）を有する条片（１２１）と、前記上部支柱（１３）から分岐する、隣接する外溝（１３２）を有する条片（１３１）と、
ｆ）前記ベース（１１）から下方および上方に一直線上に延在し、それぞれ接続する支持支柱（１２３、１３３）から突出するそれぞれ１つの突出部（１１０）と、
ｇ）前記底部支柱（１２）、前記下側支持支柱（１２３）および前記ベース（１１）の間に形成された下側の中空室（１２４）と、
ｈ）前記上部支柱（１３）、前記上側支持支柱（１３３）および前記ベース（１１）の間に形成された上側の中空室（１３４）と、
ｉ）前記中空室（１２４、１３４）に隣接する、軸方向に延在するそれぞれ１つのねじ通路（１４）とを備えていることを特徴とする請求項９に記載の懸架装置。
【請求項１１】
給電部材（８）が設けられ、この給電部材が
ａ）端面（８２）を有するケース（８０））を備え、この端面から成形部材（８５）が延在しており、
ｂ）電気コネクタ（８６）を備え、このコネクタが前記成形部材（８５）に設けられた溝（８５３）内に埋め込まれて設けられ、かつそれぞれ接触面（８６４）を備え、
ｃ）各電気コネクタ（８６）の下方において付設の溝（８５３）内に設けられたそれぞれ１つのばね（８７）を備え、
ｄ）前記成形レール（１）に挿入された電気的成形要素（２）およびそれに設けられた輪郭部に相補的に係合するためのものである、前記成形部材（８５）の輪郭部（８５０〜８５２）を備え、
ｅ）中空室（８００）を備え、この中空室内にコネクタ（８６）が収容され、この中空室から電源に通じる配線が延び、
ｆ）給電部材（８）が前記成形レール（１）に連結されている場合に、前記コネクタ（８６）の接触面（８６４）が前記電気的成形要素（２）の導電体（２１）に接触し、その際やや圧縮されているばね（８７）が確実な永久的電気タッピングを行うことを特徴とする請求項１〜１０のいずれか一項に記載の懸架装置。
【請求項１２】
ａ）前記導電体（２１）が好ましくは低電圧を案内し、
ｂ）前記照明ユニット（７）が発光ダイオード（ＬＥＤ）を備えていることを特徴とする請求項１〜１１のいずれか一項に記載の懸架装置。
【請求項１３】
前記一次支持体（４）が前記支持アーム（４２）の形を有し、そして
ａ）前記成形レール（１）寄りの差込み部分（４２６）と、
ｂ）一端（４２１）が差込み部分（４２６）に連結され、かつ第２の自由端（４２２）を有する、部屋内に突出する棒部分（４２０）と、
ｃ）前記差込み部分（４２６）の自由端の方へ開放し、前記アダプタ（５）を挿入するためのものである、差込み部分（４２６）内の切欠きと、
ｄ）前記棒部分（４２０）に配置された照明ユニット（７）とを備えていることを特徴とする請求項１〜４と９〜１２のいずれか一項に記載の懸架装置。
【発明の詳細な説明】
【技術分野】
【０００１】
発明の適用分野
本発明は、成形レールを備え、この成形レールには電気的成形要素が挿入され、絶縁体内に部分的に埋め込まれた導電体が電気的成形要素を通って延在し、外側へ開放した成形レールの通路を経て導電体にアクセス可能である、品物を提示するための懸架装置に関する。懸架装置にはさらに、成形レールに掛止め可能な一次支持体が属し、この一次支持体は通路に押し込み可能な差込み部分を有する。一次支持体の差込み部分にアダプタが配置され、このアダプタは照明ユニットを運転するための導電体に電気的にタッピングするためのものである。アダプタから照明ユニットへ給電線が延在している。アダプタはケースと、導電体に電気的にタッピングするためのものである、接点を有する集電子とを備えている。
【背景技術】
【０００２】
技術水準
特許文献１により、水平に配置すべき成形レールとその中に掛止め可能な一次支持体を備えた懸架装置が知られている。上記の懸架装置の発展形態では、特許文献２に係る装置が提供された。この装置では、電気的成形要素が使用され、それによって消費装置、特にランプを運転するために、アダプタを介して、電気のタッピングが可能である。最後に述べた発明の成形レールでは、棚板の形をした一次支持体がそれに固定されたアダプタまたは電化されていない支持アームと共に使用可能である。
【０００３】
特許文献３に開示された、品物を提示するための懸架装置は、成形レールを備えている。この成形レールには電気的成形要素が挿入されている。絶縁体内に部分的に埋め込まれた導電体がこの電気的成形要素を通って延びている。導電体は外側に開放する成形レールの通路を経てアクセス可能である。成形レールに掛止め可能な一次支持体は、通路に押し込み可能な差込み部分を有する。一次支持体の差込み部分にはアダプタを配置することができる。このアダプタは照明ユニットを運転するために導電体に電気的にタッピングするためのものである。アダプタから照明ユニットまで給電線が延在している。差込み部分上で位置決めされたアダプタは接点を有する集電子を収容するためのケースを備えている。この接点はアダプタを作動させる際にケースから出て、導電体に作用する。アダプタはアクチュエータを備え、このアクチュエータは、差込み部分を通路に押し込む際に、成形レールの内部で衝突することによって、電気的成形要素の導電体上でアダプタの集電子の接点を動かす。
【先行技術文献】
【特許文献】
【０００４】
【特許文献１】国際公開第０１／４３５９９Ａ１号パンフレット
【特許文献２】国際公開第０３／０７００６０Ａ１号パンフレット
【特許文献３】独国実用新案第２０２００８００３３６０Ｕ１号明細書
【発明の概要】
【発明が解決しようとする課題】
【０００５】
発明の課題
本発明の根底をなす課題は、成形レールに差し込む際および特にアダプタによる電気的なタッピングの際の電化された一次支持体による取扱操作をさらに簡単化することと、従来技術で以前より知られていた解決策と異なる解決策を提案することである。その次の課題は、懸架装置の実施可能性とその使用分野を拡張することである。この場合、店舗の建物でのエステティックな要求に注意を払うべきである。さらに、装置は顧客特有の条件を実現する装置を低コストで製作し、組み立てできるようにすべきである。
【課題を解決するための手段】
【０００６】
発明の概要
品物を提示するための懸架装置は、成形レールを備え、この成形レールには電気的成形要素が挿入され、絶縁体内に部分的に埋め込まれた導電体が電気的成形要素を通って延在し、外側へ開放した成形レールの通路を経て導電体にアクセス可能である。成形レールに掛止め可能な一次支持体は、通路に押し込み可能な差込み部分を有する。一次支持体の差込み部分にアダプタが配置され、このアダプタは照明ユニットを運転するための導電体に電気的にタッピングするためのものである。アダプタから照明ユニットへ給電線が延在している。アダプタはケースと、導電体に電気的にタッピングするためのものである、接点を有する集電子とを備えている。接点は、ばねで支持されてケースから突出し、差込み部分を通路に押し込む際にケース内に押し込み可能である。差込み部分が通路に完全に押し込まれて導電体に対して一致する位置にあるときに、接点はばね力によって導電体に押し付けられている。
【０００７】
次に、本発明の特別な実施形を説明する。集電子のばね支持は曲げ区間によるその固有弾性に基づいている。
【０００８】
アダプタは後側部分と、成形レールの通路に挿入するための前側部分とを備え、この前側部分内に接点が配置されている。アダプタは２個の集電子を備え、この集電子はそれぞれ、ケース内に弾性的に動くことができるように支持された線によって形成されている。一方の集電子の接点はその前側の自由端にあり、上方に向かって先細である、例えばＶ字状またはＵ字状のフックによって形成されている。曲げ区間は接点から、集電子の後端である挟持領域まで延在している。挟持領域に接続部が設けられ、この接続部は給電線に通じている。ケースは切欠きを有し、この切欠き内に集電子が垂直方向に弾性的に動くことができるように収容されている。
【０００９】
ケースは底部とカバーからなっている。縦方向に延在する切欠きと一直線上に、それぞれ１つの切込みが底部の後側部分内に設けられ、この切込み内にそれぞれ集電子の挟持領域を支持するために、切込みが切欠きの方向におよびカバーの方に開放している。カバーと底部を連結するために、互いに相補的な第１ロック機構と第２ロック機構がカバーと底部に設けられ、互いにかみ合う少なくとも１対のロック機構がねじによって付加的に保持されている。ケースを組み立てる際に、アダプタはその後側部分内に、集電子の挿入された挟持領域に隣接して、一次支持体に連結するための外側に開放する開口を有する。底部は開口の拡張部に切り落とし部を有し、この切り落とし部は給電線を集電子の接続部に案内する働きをする。
【００１０】
アダプタの開口内に、棚板の形をした一次支持体の連結領域が固定されている。棚板は差込み部分を有し、この差込み部分がその後側エッジから先に成形レールの外側に開放した通路内に押し込むためのものである。差込み部分に切欠きが設けられ、この切欠きは後側エッジの方へ開口し、この切欠きに連結領域が隣接し、アダプタの前側部分が連結領域内に配置されている。
【００１１】
棚板は上面、下面および部屋の方に向いた前側エッジを有する。照明ユニットは好ましくは上面および／または下面および／または前側エッジに配置されている。
【００１２】
その代わりに、棚板は上面、下面および部屋の方に向いた前側エッジを有し、前側エッジから、装着され下方に傾斜した追加部分が延びている。照明ユニットは好ましくは追加部分の下面に配置されている。棚板と追加部分は異なる材料から構成可能である。
【００１３】
他の代替的実施形では、棚板が差込み部分に対して下方に傾斜し部屋の方に向いた追加部分に一体的に接続している。照明ユニットは好ましくは追加部分の下面に配置されている。この実施形の場合、棚板と追加部分は好ましくは同じ材料からなっている。
【００１４】
成形レールは、
ａ）通路の一方の側を画成する底部支柱を備え、差し込まれた一次支持体のための滑り防止部材および緩衝要素としての成形ストランドを収容するための底部溝が、通路の入口寄りで底部支柱内に設けられ、
ｂ）通路の他方の側を画成する上部支柱を備え、
ｂａ）電気的成形要素を収容するための上部溝が通路の入口寄りで上部支柱内に設けられ、
ｂｂ）通路の後側領域内にフック溝が設けられ、このフック溝が支持アームの形をした一次支持体の差込み部分に相補的なフックを係合させる働きをし、
ｃ）板状のベースを備え、このベース内に底部支柱と上部支柱が接続し、ベースが通路の端部を画成している。
【００１５】
成形レールはさらに、
ａ）底部支柱からベースに対して斜めに延在する支持支柱と、
ｂ）上部支柱からベースに対して斜めに延在する支持支柱と、
ｃ）挿入された成形ストランドまたは挿入された電気的成形要素を固定するための底部溝の保持輪郭部と上部溝の保持輪郭部と、
ｄ）通路への入口を形成するための、底部支柱の突出部としての唇部と上部支柱の突出部としての唇部と、
ｅ）パネル要素の縦方向エッジをかみ合わせて取付けるために役立つ、底部支柱から分岐する、隣接する外溝を有する条片と、上部支柱から分岐する、隣接する外溝を有する条片と、
ｆ）ベースから下方および上方に一直線上に延在し、それぞれ接続する支持支柱から突出するそれぞれ１つの突出部と、
ｇ）底部支柱、下側支持支柱およびベースの間に形成された下側の中空室と、
ｈ）上部支柱、上側支持支柱およびベースの間に形成された上側の中空室と、
ｉ）中空室に隣接する、軸方向に延在するそれぞれ１つのねじ通路とを備えている。
【００１６】
給電部材が設けられ、この給電部材は
ａ）端面を有するケースを備え、この端面から成形部材が延在しており、
ｂ）電気コネクタを備え、このコネクタが成形部材に設けられた溝内に埋め込まれて設けられ、かつそれぞれ接触面を備え、
ｃ）各電気コネクタの下方において付設の溝内に設けられたそれぞれ１つのばねを備え、
ｄ）成形レールに挿入された電気的成形要素およびそれに設けられた輪郭部に相補的に係合するためのものである、成形部材の輪郭部を備え、
ｅ）中空室を備え、この中空室内にコネクタが収容され、この中空室から電源に通じる配線が延び、
ｆ）給電部材が成形レールに連結されている場合に、コネクタの接触面が電気的成形要素の導電体に接触し、その際やや圧縮されているばねが確実な永久的電気タッピングを行う。
【００１７】
導電体は好ましくは低電圧を案内する。照明ユニットは発光ダイオード（ＬＥＤ）を備えている。
【００１８】
一次支持体は支持アームの形を有し、そして
ａ）成形レール寄りの差込み部分と、
ｂ）一端が差込み部分に連結され、かつ第２の自由端を有する、部屋内に突出する棒部分と、
ｃ）差込み部分の自由端の方へ開放し、アダプタを挿入するためのものである、差込み部分内の切欠きと、
ｄ）棒部分に配置された照明ユニットとを備えている。
【図面の簡単な説明】
【００１９】
添付の図面の簡単な説明
【図１】多数の成形レールとその間に嵌め込まれたパネル要素とを備えた壁構造体の斜視図であり、このパネル要素は異なる一次支持体と個々のアダプタを備えている。
【図２Ａ】アダプタ、給電線、ホルダおよび照明ユニットを備える、棚板の形をした、図１Ａの一次支持体を下から見た斜視図である。
【図２Ｂ】図２Ａの一次支持体を上から見た斜視図である。
【図２Ｃ】変形されたホルダと照明ユニットを備えた図２Ａの一次支持体を上から見た斜視図である。
【図２Ｄ】図２ＣのＸ１部分の拡大図である。
【図３Ａ】支持アームの形をした図１の一次支持体の斜視図である。
【図３Ｂ】図３ＡのＸ２部分の拡大垂直断面図である。
【図４Ａ】図１の成形レールの横断面図である。
【図４Ｂ】図４Ａの成形レールの斜視図である。
【図５Ａ】電気的成形要素の横断面図である。
【図５Ｂ】図５Ａの電気的成形要素の斜視図である。
【図６Ａ】成形ストランドの横断面図である。
【図６Ｂ】図６Ａの成形ストランドの斜視図である。
【図７Ａ】図５Ａの電気的成形要素と図６Ａの成形ストランドを挿入した図４Ａの成形レールの横断面図である。
【図７Ｂ】図７Ａの構造体の斜視図である。
【図８Ａ】図１のアダプタの側面図である。
【図８Ｂ】図８Ａのアダプタを上から見た斜視図である。
【図８Ｃ】図８Ａのアダプタを下から見た斜視図である。
【図９Ａ】図８Ａのアダプタを上から見た分解斜視図である。
【図９Ｂ】図９Ａのアダプタを向きを変えて上から見た分解斜視図である。
【図９Ｃ】図９Ａのアダプタを下から見た分解斜視図である。
【図９Ｄ】底部に集電子を挿入した図９Ａのアダプタの分解斜視図である。
【図９Ｅ】図８Ａのアダプタの垂直断面図である。
【図１０Ａ】ケース、成形部材、コネクタおよびカバーを備えた給電部材の第１斜視図である。
【図１０Ｂ】図１０Ａの給電部材の第２斜視図である。
【図１０Ｃ】図１０Ａの給電部材の第３斜視図である。
【図１０Ｄ】図１０Ａの給電部材の第４斜視図である。
【図１０Ｅ】図１０Ａの給電部材の垂直断面図である。
【図１０Ｆ】図１０Ｃの給電部材の分解斜視図である。
【図１０Ｇ】図１０Ｆの給電部材を向きを変えて見た分解斜視図である。
【図１１Ａ】図７Ａの成形レールに近接した、成形ストランドを備えていない図１０Ａの給電部材の斜視図である。
【図１１Ｂ】図１１Ａの構造体を向きを変えて見た斜視図である。
【図１１Ｃ】給電部材が成形レールに結合された、図１１Ａの構造体の斜視図である。
【図１１Ｄ】図１１Ｃの構造体を向きを変えて見た斜視図である。
【図１１Ｅ】図１１Ｃの構造体を新たに向きを変えて見た斜視図である。
【図１２Ａ】切欠きに近接した分離アダプタ部分と共に、図２Ｂの棚板を上から見た斜視図である。
【図１２Ｂ】図１２Ａの構造体を下から見た斜視図である。
【図１３Ａ】図２Ｂの棚板を成形レールに挿入する過程の相を、原理的な図で示す垂直断面図であり、図１３Ａは出発相を示し、棚板の差込み部分とアダプタは支持構造体に取付けられパネル要素に挿入された成形レールに近接している。
【図１３Ｂ】図２Ｂの棚板を成形レールに挿入する過程の相を、原理的な図で示す垂直断面図であり、中間相を示し、図１３Ａの構造体であるアダプタと棚板の差込み部分が成形レールに部分的に挿入されている。
【図１３Ｃ】図２Ｂの棚板を成形レールに挿入する過程の相を、原理的な図で示す垂直断面図であり、最終相を示し、図１３Ａの構造体であるアダプタと棚板の差込み部分が規定通りの端位置で成形レールに挿入されている。
【図１４】規定通りの端位置で成形レールに挿入された図３Ａの支持アームの垂直断面図である。
【図１５Ａ】追加部分、変形されたホルダおよび照明ユニットを装着した図２Ａの一次支持体を下から見た斜視図である。
【図１５Ｂ】図１５Ａの一次支持体を上から見た斜視図である。
【図１５Ｃ】切欠きに近接した分離アダプタ部分、棚板から取り外した追加部分、給電線および照明ユニットと共に、図１５Ｂの棚板を上から見た分解斜視図である。
【図１５Ｄ】図１５ＡのＸ３部分の拡大図である。
【図１５Ｅ】図１５Ｄの構造体の垂直断面図である。
【図１６Ａ】曲がった追加部分、変形されたホルダおよび照明ユニットと共に、図２Ａの一次支持体を下から見た斜視図である。
【図１６Ｃ】切欠きに近接した分離アダプタ部分、棚板から取り外した給電線および照明ユニットと共に、図１６Ｂの棚板を上から見た分解斜視図である。
【図１６Ｄ】図１６ＣのＸ４部分の拡大図である。
【発明を実施するための形態】
【００２０】
実施の形態
次に、添付の図を参照することによって、代替使用可能な一次支持体を備えた、商品を提示するための本発明に係る懸架装置の実施の形態を詳しく説明する。
【００２１】
以降のすべての記載について、次のことが当てはまる。図示を明確にするために参照数字が図に記入されているが、直接関連する説明文面で述べられていないときには、図に基づく先行記載または後述記載におけるこの参照数字の言及内容が参照される。「繰り返し」の部品であることが図から明らかである場合には、見やすくするために、他の図において部品の繰り返し参照数字付けが省略される。
【００２２】
図１〜２Ｄ
成形レール１は支持構造体Ｔに水平に取り付けるためのものである。垂直方向において成形レール１に続いてパネル要素９を配置することができる。そのために、適当な縦方向エッジ９２がパネル要素９に延在し、それによって成形レール１に対する突き合わせ連結が可能になる。パネル要素９は前面９０と背面９１を有する。この背面９１は支持構造体Ｔの方に向いている。成形レール１は縦方向全体にわたって延在する、使用者の方に向いた通路１０を有する。この通路には、棚板４１または支持アーム４２の形をした一次支持体４を差し込むことができる。
【００２３】
長方形の棚板４１は上面４１０と、下面４１１と、前側エッジ４１４とは反対側の後側エッジ４１２を有する。この後側エッジには切欠き４１３が形成されている。後側エッジ４１２から帯状差込み区間４１６が棚板４１内に延在している。この差込み区間は成形レール１の通路１０に嵌め込むためのものである。切欠き４１３には、アダプタ５を固定する働きをする連結領域４１７が隣接している。給電線６がアダプタから下面４１１または上面４１０に沿って照明ユニット７まで延びている。この照明ユニット７は点光源または蛍光灯として形成可能であり、例えばケースの形をしたホルダ７０を備えている。差込み区間４１６内の切欠き４１３と、その背後にある、アダプタ５を収容するための連結領域４１７は、差込み区間４１６に沿って任意に設けることができ、例えば図２Ａのように中央に設けてもよいし、図２Ｃのように外側に設けてもよい。
【００２４】
図３Ａおよび３Ｂ
支持アーム４２は実質的に、第１端部４２１と第２端部４２２との間で延在する棒部材４２０からなっている。第１端部４２１には板状差込み部分４２６が配置されている。この差込み部分４２６の自由端からフック４２５が上方へ突出している。差込み部分４２６は下面に、フック４２５の方に延びる先細部を有する。この先細部は棒部材４２０への移行部の手前で終わっている。
【００２５】
図示していない代替的な実施の形態では、差込み部分４２６の自由端部の方に開放する切欠きが差込み部分４２６に設けられている。棚４１と同等の連結領域４１７が支持アーム４２のところで棒部材４２０の第１端部４２１に差し込まれている。切欠きと連結領域はアダプタ５を挿入するためのものである。アダプタ５から給電線６が延びている。この給電線は棒部材４２０に設けられた照明ユニット７に案内されている。
【００２６】
図４Ａおよび４Ｂ
成形レール１では通路１０の端部がベース１１によって表される。このベースから突出部１１０が当該の通路１０の領域を超えて上方および下方に延びている。通路１０は上部支柱１３と底部支柱１２によって画成されている。ベース１１に隣接して、先ず最初にフック溝１３５と上部溝１３６が成形レール１に沿って通路１０から上部支柱１３内に延びている。同様に、入口の近くにおいて、底部溝１２６が成形レール１に沿って底部支柱１２内に延びている。この底部溝１２６は保持輪郭部１２７によって縁取りされ、上部溝１３６は保持輪郭部１３７によって縁取りされている。この保持輪郭部は成形ストランド３または電気的成形要素２を後で固定する働きをする。底部支柱１２と上部支柱１３は、ベース１１とは反対側で、通路１０の入口のところで、下側唇部１２０または上側唇部１３０によって終わっている。唇部１２０、１３０から後退したところでそれぞれ、下向きの条片１２１が底部支柱１２から分岐し、上向きの条片１３１が上部支柱１３から分岐している。この両条片はベース１１に対して平行に、それぞれの突出部１１０の方へ延在している。
【００２７】
下側条片１２１には、下方に開放した外溝１２２が隣接して設けられている。上側条片１３１には、上方に開放した外溝１３２が隣接して設けられている。下側の外溝１２２に続いて下側の支持部材１２３が設けられ、上側の外溝１３２に続いて上側の支持部材１３３が設けられている。両支持部材１２３、１３３がベース１１に対して斜めであるので、底部支柱１２と下側支持部材１２３との間並びに上部支柱１３と上側支持部材１３３との間には、下側または上側の中空室１２４、１３４が取り囲まれて形成されている。各中空室１２４、１３４内にはねじ込み通路１４がベース１１に隣接して設けられている。ベース１１には、一方では通路１０の入口の方に、他方では反対側の背面に、刻み線１１１が設けられている。この刻み線は成形レール１の縦方向に延在し、組み立て補助部材としての働きをする。成形レール１は好ましくはアルミニウム押出し成形品として製作されている。
【００２８】
図５Ａおよび５Ｂ
互いに離隔された２本の導電体２１を埋め込んだ絶縁体２０を有する電気成形要素２は、細長くて平らな帯の形をしている。この帯は縦方向に延びる輪郭を有する。この輪郭は一方では上部溝１３６の形状に対して相補的に形成され、電気的成形要素２を上部溝１３６内に嵌め込み装着するために役立つ。電気的成形要素２の輪郭は他方では、給電部材８の突出部８５のウェブ８５０〜８５２（図１０Ａ参照）の形状に対して相補的に形成されている。
【００２９】
図６Ａおよび６Ｂ
成形レール１に差し込まれた、特に棚板４１の形の一次支持体４を滑らないように保持するために、底部溝１２６に挿入可能な成形ストランド３が役立つ。この成形ストランドは好ましくは弾性的な細長い材料からなっている。成形ストランド３は基部３０を有し、この基部から、相互の方に向いた２本のウェブ３１が上方に延びている。
【００３０】
図７Ａおよび７Ｂ
組み立て状態において、電気的成形要素２は成形レール１の上部溝１３６に挿入され、成形ストランド３は成形レール１の底部溝１２６に挿入されている。電気的成形要素２の絶縁体２０はその輪郭によって、成形レール１の相補的な保持輪郭部１３７に固定されている。給電線６を経て、例えば照明ユニット７の形をした接続された消費部に給電するために、導電体２１は軸方向全長にわたって、アダプタ５による電気的な分岐のために通路１０から少なくとも十分に中断されずにアクセス可能である。成形ストランド３の基部３０は底部溝１２６内に挟持されて収容されている。ウェブ３１は保持輪郭部１２７の上側エッジから少し突出し、それによって多少通路１０内に達し、通路１０に差し込まれた、棚板４１や支持アーム４２のような一次支持体４の滑り防止および緩衝作用を生じる。
【００３１】
図８Ａ〜９Ｅ
アダプタ５は前側部分５６とこの前側部分に接続する肉厚の後側部分５３を有する直方体の形をし、カバー５０とこのカバーに対して相補的な底５１とからなっている。このカバーと底はケース５２を形成している。カバー５０と底５１は後側部分５３において三方が開放する開口５２０を形成している。ケース５２内に配置された集電子５４の接点５４１が、カバー５０を貫通する互いに平行で異なる長さの２つの切欠き５０４を通って、カバー５０の上面から突出している。切欠き５０４内には集電子５４が収容および案内されている。カバー５０の切欠き５０４に対応して、底５１は同様に、底５１を貫通する互いに平行で異なる長さの２つの切欠き５１４を有する。この切欠きは集電子５４を収容および案内することを目的とする。
【００３２】
カバー５０は前側部分５６の幅狭側面に、フックの形をした第１ロック機構５０６を備えている。係止連結部を形成するために、底５１の前側部分５６の幅狭側面には、第１ロック機構５０６と協働する、切欠きの形をした相補的輪郭部５１６が設けられている。カバー５０は後側部分５３から前側部分５６への移行部においてその下面に、めねじを有するピン状の第２ロック機構５０９を備えている。この第２ロック機構５０９は穴の形をした第２の相補的輪郭部５１９と係合するように協働するためのものである。この穴は底５１の上面の方へ開放し、ねじ５９を挿入するために下面の方へ開口している。組み立て状態でねじ５９は第２ロック機構５０９のめねじにねじ込まれる。カバー５０の後側部分５３の下面から、ピン５０３が開口５２０内に突出している。このピンは棚板４１の連結領域４１７の穴に係合するために役立つ（図１２Ａ参照）。
【００３３】
底５１の後側部分５３の幅狭側面には、２つの溝状切込み５１０を有する切り落とし部５１５が設けられている。この切込みは互いに離隔され、切欠き５１４に対して一直線上に位置する。それぞれの切込み５１０は、その中にそれぞれ集電子５４の挟持領域５４３を支持するために、切欠き５１４の方におよびカバー５０の方に開放している。個々の集電子５４は原理的には、弾性的な曲げ区間５４２を有する直角に曲げられかつ複数回曲げられた線である。この弾性的な曲げ区間には、一方では接点５４１が接続する。この接点は論理アンド記号∧の輪郭を有し、自由端を形成している。弾性的な曲げ区間は他方では湾曲した挟持領域５４３に接続し、この挟持領域には接続部５４０が設けられこの接続部は集電子５４の反対側の自由端部である。集電子５４の曲げ区間５４２は垂直方向においてカバー５０の切欠き５０４と底５１の切欠き５１４に弾性的に動くことができるように支承されている。接点５４１がカバー５０の切欠き５０４から突出し、接続部５４０が底５１の自由空間内に位置する。
【００３４】
図１０Ａ〜１０Ｇ
給電部材８は立方体のケース８０を有し、このケースの端面８２から成形部材８５が軸方向に延在している。ケース８０は周方向のエッジ８３で終わっている４つの側壁によって取り囲まれている。それによって、中空室８００が形成されている。第１唇部８２０と、この第１唇部に対して平行に離隔された第２唇部８３０が、側面に沿っておよびケース８０の長さにわたって成形部材８５の方へ延在している。この側面とそれに隣接する底面との間の角の領域において、軸方向に延びる第１条片８２１が延在している。当該の側面とそれに隣接する上面との間の角の領域に、軸方向に延びる第２条片８３１が延在している。端面８２の平面内には、唇部８２０、８３０の反対側に、フランジ８４がこの端面から延在している。このフランジには２つの穴が設けられている。成形部材８５は垂直な第１ウェブ８５１と、垂直な第２ウェブ８５２と、中央セグメント８５０とからなっている。各ウェブ８５１、８５２と中央セグメント８５０との間には、溝８５３が設けられている。各溝８５３内には、拡張部８５４が縦方向に対して横向きに設けられている。
【００３５】
端面８２には２つの通路８２４が設けられている。この通路は溝８５３の延長方向に設けられている。個々の通路８２４を電気コネクタ８６が通過している。このコネクタの中央部分８６０は溝８５３内に位置することになる。中央部分８６０は溝８５３の底の方に向いた収容部８６３を有する。この収容部はばね８７の着座のために役立つ。収容部８６３に対して中央部分８６０から接触面８６４が隆起している。電気コネクタ８６は中央部分８６０に続いて第１端部８６１で終わっている。中央部分８６０は中空室８００寄りの通路８２４を通過した後で段状に折れ曲がり、第２端部８６２で終わっている。各電気コネクタ８６の第２端部８６２は電気ケーブルに接続されている。中空室８００はカバー８８によって閉鎖可能であり、カバー８８を通過するねじ８９によって中空室８００内のストッパーに設けられた穴に固定可能である。カバー８８の外面はケース８０の周方向のエッジ８３と面一である。ケース８０の上面には、ケーブルを通過案内するための切欠き８１がある。
【００３６】
図１１Ａ〜１１Ｅ
給電部材８の成形部材８５が先ず最初に軸方向から成形レール１に近づけられる。この場合、ケース８０に設けられた第１条片８２１は底部支柱１２に属する下側条片１２１と一直線上に位置し、ケース８０の第２条片８３１は上部支柱１３に設けられた上側条片１３１の方へ延在する。ケース８０に設けられた第１唇部８２０は底部支柱１２の下側唇部１２０に対して一直線上に位置し、ケース８０の第２唇部８３０は上部支柱１３の上側唇部１３０に対して一直線上にある。成形部材８５の溝８５３に埋め込まれた両電気コネクタ８６は、電気成形要素２の導電体２１に整列している。フランジ８４に設けられた穴は成形レール１の中空室１２４、１３４内のねじ通路１４と一直線上に並んでいる。
【００３７】
給電部材８を成形レール１に連結する際、ねじ８４９がフランジ８４の穴を通過し、中空室１２４、１３４の各ねじ通路１４に係合する。その際、給電部材８に結合された成形部材８５はその中央セグメント８５０、第１ウェブ８５１および第２ウェブ８５２が、導電体２１に隣接して電気的成形要素２に沿って縦方向に延在する輪郭部に相補的に係合している。電気コネクタ８６の接触面８６４は電気的成形要素２の導電体２１に接触し、その際幾分圧縮されているばね８７は確実で永久的な電気的架橋を行う。そのために、各電気コネクタ８６の中央部分８６０は幾分弾性的に形成されている。給電部材８の端面８２は成形レール１の自由端部の横断面に接触している。
【００３８】
図１２Ａおよび１２Ｂ
棚板４１の形をした一次支持体４は後側エッジ４１２において差込み部分４１６内に切欠き４１３を有する。この切欠き４１３はアダプタ５の両ケース部分５０、５１を収容するためのものである。切欠き４１３に隣接して、棚板４１の連結領域４１７内には、穴４１８が設けられている。この穴はカバー５０のピン５０３を収容する働きをする。それによって、アダプタ５はケース５０を組み立てたときに棚板４１に付加的に固定される。給電線６は好ましくは、アダプタ５の底５１の切り落とし部５１５から出発して、棚板４１の下面４１１を照明ユニット７に向かって延びている。ケース７０を備えた照明ユニット７は棚板４１の上面４１０および／または下面４１１および／または前側エッジ４１４および／または側面に、点光源または蛍光灯として取付け可能である。照明ユニット７を固定するために役立つホルダ７０がアダプタ５に向かって延びている場合には、給電線６をこのホルダ７０に収納することができる。このホルダ７０は同時に、放熱のために利用可能である。これは照明ユニット７にＬＥＤを使用する際および棚板４１を例えば美容分野で使用する際に有効である。
【００３９】
図１３Ａ〜１３Ｃ
これらの図によって、支持構造体Ｔに取付けられてパネル要素９によって覆われた成形レール１への、棚板４１の形をした一次支持体４の挿入の過程が示される。
【００４０】
図１３Ａ（出発段階）
水平に向いた棚板４１はその差込み部分４１６からおよびそれに取付けられたアダプタ５から、成形レール１の通路１０の開口に近づけられる。それによって、棚板４１の後側エッジ４１２は通路１０の正面に合致している。アダプタ５の前側部分５６の自由端部は通路１０の開口に向いている。集電子５４の負荷されていない静止位置にある接点５４１はケース５２から突出している。
【００４１】
図１３Ｂ（中間段階）
棚板４１の差込み部分４１６、ひいてはアダプタ５の前側部分５６を成形レール１の通路１０内に押し込む際に、両集電子５４の互いにずれた接点５４１は上部支柱１３の上側唇部１３０に順々に当たり、それが斜めに延長しているのでアダプタケース５２の切欠き５０４、５１４内に押し下げられる。
【００４２】
図１３Ｃ（最終段階）
棚板４１の差込み部分４１６とアダプタ５の前側部分５６が成形レール１の通路１０に最も深く押し込まれると−この場合、棚板後側エッジ４１２がベース１１の内面に当接する−、集電子５４の接点５４１はそのばね張力に基づいて上方へ移動し、導電体２１に押し付けられ、それによって電気的なタッピングが達成される。アダプタ５のカバー５０と、棚板４１の差込み部分４１６の上面４１０は、上部支柱１３に隣接している。アダプタ５の底５１と棚板４１の差込み部分４１６の下面４１１は底部支柱１２に対して位置決めされている。
【００４３】
通路１０から棚板４１を引き出す際に、アダプタ５の両集電子５４の接点５４１は電気的成形要素２の斜めの輪郭部に順々に当たり、接点５４１が斜めに延びているのでアダプタケース５２の切欠き５０４、５１４内に押し戻される。それによって、電気タッピングが中断される。アダプタ５を備えた棚板４１は、上記の押し込み方向と反対方向に、通路１０から外の空間内に引き出し可能である。
【００４４】
図１４
電化されていない支持アーム４２を使用する場合には、差込み部分４２６から突出するフック４２５がフック溝１３５内に位置することになる。上部溝１３６に埋め込まれた電気的成形要素２がいずれかの位置で差込み部分４２６に接触することが構造的に避けられる。支持アーム４２の棒部分４２０の第１端部４２１が底部支柱１２の下側唇部１２０と上部支柱１３の上側唇部１３０に対して少し離れているので、支持アーム４２の掛止過程または懸架過程が可能になる。
【００４５】
図１５Ａ〜１５Ｅ
棚板４１は差込み部分４１２の反対側に、唇部４１９′を備えた追加部分４１９を有する。この唇部４１９′は棚板４１の上面４１０に載り、内側エッジがほぼ棚板４１の前側エッジ４１４に沿って支持される。唇部４１９′と棚板４１の上面４１０との間には接着テープ４１５が挿入されている。この接着テープは追加部分４１９を棚板４１に固定する。この場合、棚板４１の前側エッジ４１４と追加部分４１９の唇部エッジ４１９″は互いに突き合わされる。この組み立て状態で、追加部分４１９は棚板４１から下方へ折れ曲がるように延びている。追加部分４１９の下面には、ホルダ７０を備えた照明ユニット７が接着テープ７５によって位置決めされている。アダプタ５と照明ユニット７との間において、給電線６が棚板４１の下面４１１と追加部分４１９の下面に沿って延在している。照明ユニット７ではホルダ７０内でばねで支持された接点７６が給電線６に接続され、照明ユニット７への給電を可能にする。給電線６は接着テープ６５によって棚板４１の下面４１１または追加部分４１９の下面に固定されている。
【００４６】
図１６Ａ〜１６Ｄ
上記の図と異なり、ここでは下向きに折れ曲がった追加部分４１９が棚板４１から一体に延びている。棚板４１と追加部分４１９は好ましくは同じ材料、例えばアルミニウムからなっている。給電線６に電気タッピングするために役立つ接点７６の領域において、接着テープ７５が中断しているので、妨害されることなくタッピングを行うことができる。
【符号の説明】
【００４７】
１          成形レール
１０        通路
１１        ベース
１１０      突出部
１１１      刻み線
１２        底部支柱
１２０      下側の唇部
１２１      下側の条片
１２２      下側の外溝
１２３      下側の支持支柱
１２４      下側の中空室
１２６      底部溝
１２７      底部保持輪郭部
１３        上部支柱
１３０      上側の唇部
１３１      上側の条片
１３２      上側の外溝
１３３      上側の支持支柱
１３４      上側の中空室
１３５      フック溝
１３６      上部溝
１３７      上部保持輪郭部
１４        ねじ通路
２          電気的成形要素
２０        絶縁体
２１        導電体
３          成形ストランド
３０        基部
３１        ウェブ
４          一次支持体
４１        棚板
４１０      上面
４１１      下面
４１２      後側エッジ
４１３      切欠き
４１４      前側エッジ
４１５      接着テープ
４１６      差込み部分
４１７      連結領域
４１８      穴
４１９      追加部分
４１９′    唇部
４１９″    唇部エッジ
４２        支持アーム
４２０      棒部分
４２１      第１端部（差込み端部）
４２２      第２端部（前側端部）
４２４      先細部
４２５      フック
４２６      差込み部分
５          アダプタ
５０        カバー
５０３      ピン
５０４      切欠き
５０６      第１ロック部
５０９      第２ロック部
５１        底部
５１０      切込み
５１４      切欠き
５１５      切り落とし部
５１６      第１相補輪郭部
５１９      第２相補輪郭部
５２        ケース
５２０      開口
５３        後側部分
５４        集電子
５４０      接続部
５４１      接点
５４２      曲げ区間
５４３      挟持領域
５６        前側部分
５９        ねじ
６          給電線
６５        接着テープ
７          照明ユニット
７０        ホルダ
７５        接着テープ
７６        接点
８          給電部材
８０        ケース
８００      中空室
８１        切欠き
８２        端面
８２０      第１唇部
８２１      第１条片
８２４      通路
８３        周方向エッジ
８３０      第２唇部
８３１      第２条片
８４        フランジ
８４９      ねじ
８５        成形部材
８５０      中央ウェブ
８５１      第１ウェブ
８５２      第２ウェブ
８５３      溝
８５４      拡張部
８６        電気消費部
８６０      中央部分
８６１      第１端部
８６２      第２端部
８６３      収容部
８６４      接触面
８７        ばね
８８        カバー
８９        ねじ
９          パネル要素
９０        前側側面
９１        後側側面
９２        縦方向エッジ
Ｔ          支持構造体
【図１】
2013538595.tif 000003
【図２Ａ】
2013538595.tif 000004
【図２Ｂ】
2013538595.tif 000005
【図２Ｃ】
2013538595.tif 000006
【図２Ｄ】
2013538595.tif 000007
【図３Ａ】
2013538595.tif 000008
【図３Ｂ】
2013538595.tif 000009
【図４Ａ】
2013538595.tif 000010
【図４Ｂ】
2013538595.tif 000011
【図５Ａ】
2013538595.tif 000012
【図５Ｂ】
2013538595.tif 000013
【図６Ａ】
2013538595.tif 000014
【図６Ｂ】
2013538595.tif 000015
【図７Ａ】
2013538595.tif 000016
【図７Ｂ】
2013538595.tif 000017
【図８Ａ】
2013538595.tif 000018
【図８Ｂ】
2013538595.tif 000019
【図８Ｃ】
2013538595.tif 000020
【図９Ａ】
2013538595.tif 000021
【図９Ｂ】
2013538595.tif 000022
【図９Ｃ】
2013538595.tif 000023
【図９Ｄ】
2013538595.tif 000024
【図９Ｅ】
2013538595.tif 000025
【図１０Ａ】
2013538595.tif 000026
【図１０Ｂ】
2013538595.tif 000027
【図１０Ｃ】
2013538595.tif 000028
【図１０Ｄ】
2013538595.tif 000029
【図１０Ｅ】
2013538595.tif 000030
【図１０Ｆ】
2013538595.tif 000031
【図１０Ｇ】
2013538595.tif 000032
【図１１Ａ】
2013538595.tif 000033
【図１１Ｂ】
2013538595.tif 000034
【図１１Ｃ】
2013538595.tif 000035
【図１１Ｄ】
2013538595.tif 000036
【図１１Ｅ】
2013538595.tif 000037
【図１２Ａ】
2013538595.tif 000038
【図１２Ｂ】
2013538595.tif 000039
【図１３Ａ】
2013538595.tif 000040
【図１３Ｂ】
2013538595.tif 000041
【図１３Ｃ】
2013538595.tif 000042
【図１４】
2013538595.tif 000043
【図１５Ａ】
2013538595.tif 000044
【図１５Ｂ】
2013538595.tif 000045
【図１５Ｃ】
2013538595.tif 000046
【図１５Ｄ】
2013538595.tif 000047
【図１５Ｅ】
2013538595.tif 000048
【図１６Ａ】
2013538595.tif 000049
【図１６Ｂ】
2013538595.tif 000050
【図１６Ｃ】
2013538595.tif 000051
【図１６Ｄ】
2013538595.tif 000052
【国際調査報告】
2013538595.tif 000053
2013538595.tif 000054
2013538595.tif 000055
2013538595.tif 000056